(57)【要約】      （修正有）【課題】商品毎に表示スタイルや小組を構成するフレームレイアウトが異なる場合であっても、手間なく容易に自動組版処理を行なうことができる組版方法及び組版装置を提供する。【解決手段】コンピュータが小組設定ファイルのフレーム設定ファイルに従い、商品の複数の関連情報を割り付けるための小組レイアウトの調整を行なうステップと、レイアウト調整された小組レイアウトに、割り付け対象の商品の各前記関連情報を、それぞれ対応する小組レイアウトの各従属フレームに割り付けるステップと、置換テーブルを参照し、割り付けステップにて割り付けられた前記商品の関連情報及び種別が指定された置換レコードが置換テーブルに登録されているか否かを判定するステップと、登録されている場合には小組レイアウトのデータを割り付ける際、置換レコードにて対応付けられている表示スタイルに基づいて割り付けを行なうステップと、を有する。【選択図】図４
2010257421.tif 000002
【特許請求の範囲】
【請求項１】
商品に関する文字テキストや画像等の関連情報であって、複数の商品に関する複数の関連情報を、コンピュータが小組レイアウトに従って台紙上の割り付け領域に割り付けて組版処理を行なう組版方法であって、
前記コンピュータが、前記複数の関連情報が、当該関連情報の種別毎に分類され、前記商品毎に対応付けて登録されている組版情報ファイルを取得する組版情報ファイル取得ステップと、
前記コンピュータが、前記小組レイアウトを構成する基準フレーム、又は当該基準フレーム内に配置される複数の従属フレームであって何れかの前記種別に対応する複数の前記従属フレームに、前記関連情報を割り付ける際の文字テキストの色、サイズ等の文字表示属性情報と、表示枠の線の色、太さ、形状等のオブジェクト表示属性情報の少なくともいずれか一方を含む表示スタイルが登録されている表示スタイルファイルに基づいて、置換テーブルを作成する置換テーブル作成ステップであって、
前記組版情報ファイルに登録された前記複数の関連情報の種別のうち１つの種別を指定する種別指定ステップと、
前記種別指定ステップにより指定された種別に分類された関連情報のうち１つの関連情報を更に指定する関連情報指定ステップと、
前記種別指定ステップにより指定された種別と、前記関連情報指定ステップにより指定された関連情報とを、前記表示スタイルファイルに登録された１つの前記表示スタイルと対応付けて置換レコードを作成する置換レコード作成ステップと、を有し、
前記置換レコード作成ステップが作成した一又は複数の前記置換レコードを含む前記置換テーブルを作成する前記置換テーブル作成ステップと、
前記コンピュータが、前記基準フレームのサイズを、割り付け対象の商品に対応付けられた前記割り付け領域のサイズに対応付けて調整する旨が設定された基準フレーム設定情報と、前記基準フレームと前記従属フレームの所定の基準位置に基づいて、各前記従属フレームの配置位置又は配置位置とサイズを調整する調整方法が設定された従属フレーム設定情報と、を含むフレーム設定ファイルと、前記置換テーブル作成手段によって作成された置換テーブルと、前記表示スタイルファイルと、を小組設定ファイルとして記憶手段に記憶させる小組設定ファイル記憶制御ステップと、
前記コンピュータが、前記記憶手段に記憶された前記小組設定ファイルの前記フレーム設定ファイルに従い、前記商品の前記複数の関連情報を割り付けるための前記小組レイアウトのレイアウト調整を行なう小組レイアウト調整ステップと、
前記コンピュータが、前記小組レイアウト調整ステップによってレイアウト調整された小組レイアウトに、前記組版情報ファイルに登録された前記割り付け対象の商品の各前記関連情報を、それぞれ対応する前記小組レイアウトの各前記従属フレームに割り付ける割り付けステップと、
前記コンピュータが、前記記憶手段に記憶された前記小組設定ファイルの前記置換テーブルを参照し、前記割り付けステップにて割り付けられた前記商品の関連情報及び種別が指定された前記置換レコードが前記置換テーブルに登録されているか否かを判定する判定ステップと、
前記コンピュータが、前記判定ステップによる判定の結果、前記割り付けステップにて割り付けられた前記商品の関連情報及び種別が指定された前記置換レコードが前記置換テーブルに登録されている場合には、割り付けステップにより各前記関連情報が割り付けされた前記小組レイアウトのデータを前記割り付け領域に割り付ける際、当該置換レコードにて対応付けられている前記表示スタイルに基づいて、前記割り付け領域に割り付けを行なう表示スタイル適用ステップと、
を有することを特徴とする組版方法。
【請求項２】
商品に関する文字テキストや画像等の関連情報であって、複数の商品に関する複数の関連情報を小組レイアウトに従って台紙上の割り付け領域に割り付けて組版処理を行なう組版装置であって、
前記複数の関連情報が、当該関連情報の種別毎に分類され、前記商品毎に対応付けて登録されている組版情報ファイルを取得する組版情報ファイル取得手段と、
前記小組レイアウトを構成する基準フレーム、又は当該基準フレーム内に配置される複数の従属フレームであって何れかの前記種別に対応する複数の前記従属フレームに、前記関連情報を割り付ける際の文字テキストの色、サイズ等の文字表示属性情報と、表示枠の線の色、太さ、形状等のオブジェクト表示属性情報の少なくともいずれか一方を含む表示スタイルが登録されている表示スタイルファイルに基づいて、置換テーブルを作成する置換テーブル作成手段あって、
前記組版情報ファイルに登録された前記複数の関連情報の種別のうち１つの種別を指定する種別指定手段と、
前記種別指定手段により指定された種別に分類された関連情報のうち１つの関連情報を更に指定する関連情報指定手段と、
前記種別指定手段により指定された種別と、前記関連情報指定手段により指定された関連情報とを、前記表示スタイルファイルに登録された１つの前記表示スタイルと対応付けて置換レコードを作成する置換レコード作成手段と、を有し、
前記置換レコード作成手段にて作成した一又は複数の前記置換レコードを含む前記置換テーブルを作成する前記置換テーブル作成手段と、
前記基準フレームのサイズを、割り付け対象の商品に対応付けられた前記割り付け領域のサイズに対応付けて調整する旨が設定された基準フレーム設定情報と、前記基準フレームと前記従属フレームの所定の基準位置に基づいて、各前記従属フレームの配置位置又は配置位置とサイズを調整する調整方法が設定された従属フレーム設定情報と、を含むフレーム設定ファイルと、前記置換テーブル作成手段によって作成された置換テーブルと、前記表示スタイルファイルと、を小組設定ファイルとして記憶手段に記憶させる小組設定ファイル記憶制御手段と、
前記記憶手段に記憶された前記小組設定ファイルの前記フレーム設定ファイルに従い、前記商品の前記複数の関連情報を割り付けるための前記小組レイアウトのレイアウト調整を行なう小組レイアウト調整手段と、
前記小組レイアウト調整手段によってレイアウト調整された小組レイアウトに、前記組版情報ファイルに登録された前記割り付け対象の商品の各前記関連情報を、それぞれ対応する前記小組レイアウトの各前記従属フレームに割り付ける割り付け手段と、
前記記憶手段に記憶された前記小組設定ファイルの前記置換テーブルを参照し、前記割り付け手段にて割り付けられた前記商品の関連情報及び種別が指定された前記置換レコードが前記置換テーブルに登録されているか否かを判定する判定手段と、
判定の結果、前記割り付けステップにて割り付けられた前記商品の関連情報及び種別が指定された前記置換レコードが前記置換テーブルに登録されている場合には、割り付け手段により各前記関連情報が割り付けされた前記小組レイアウトのデータを前記割り付け領域に割り付ける際、当該置換レコードにて対応付けられている前記表示スタイルに基づいて、前記割り付け領域に割り付けを行なう表示スタイル適用手段と、
を有することを特徴とする組版装置。
【発明の詳細な説明】
【技術分野】
【０００１】
本発明は、チラシやカタログなどを製作する組版方法の技術分野に属し、特に、商品毎に異なる表示スタイルや異なる形状のフレームにて商品の情報を表示する組版方法及び組版装置の技術分野に関する。
【背景技術】
【０００２】
カタログ等を制作するのに自動組版システムで流し込みする場合、組版情報ファイル（流し込み用データ）に登録された商品の情報によって、レイアウトに配置されるオブジェクトや文字等の表示属性（表示スタイル）が異なる場合がある。
【０００３】
このように表示スタイルが変更される場合には、従来の自動組版システムで組版処理を行なう場合は、同じレイアウトの小組を表示スタイルの数だけ作成して組版処理を行なわなければならず、準備が煩雑になり作業効率が低下する原因となっていた。
【０００４】
これを解決する方法として特許文献１では、組版情報ファイルに表示スタイルを指定するための情報を格納しておくことで、その情報を参照して表示スタイルを変更するよう構成している。
【先行技術文献】
【特許文献】
【０００５】
【特許文献１】特開２００３−８８７９号公報
【発明の概要】
【発明が解決しようとする課題】
【０００６】
しかし、特許文献１に記載の方法では、表示スタイルを変更するだけであり、小組を構成するフレームレイアウト（例えば、フレームサイズ）を変えたい場合には、フレームレイアウトが異なる別の小組を準備する必要があるという問題がある。
【０００７】
そこで、本発明は、上記問題等に鑑みて為されたもので、商品毎に表示スタイルや小組を構成するフレームレイアウトが異なる場合であっても、フレームレイアウト毎に小組を作成することなく、容易に自動組版処理を行なうことができる組版方法及び組版装置を提供することを課題とする。
【課題を解決するための手段】
【０００８】
上記課題を解決するために、請求項１に記載の発明は、商品に関する文字テキストや画像等の関連情報であって、複数の商品に関する複数の関連情報を、コンピュータが小組レイアウトに従って台紙上の割り付け領域に割り付けて組版処理を行なう組版方法であって、前記コンピュータが、前記複数の関連情報が、当該関連情報の種別毎に分類され、前記商品毎に対応付けて登録されている組版情報ファイルを取得する組版情報ファイル取得ステップと、前記コンピュータが、前記小組レイアウトを構成する基準フレーム、又は当該基準フレーム内に配置される複数の従属フレームであって何れかの前記種別に対応する複数の前記従属フレームに、前記関連情報を割り付ける際の文字テキストの色、サイズ等の文字表示属性情報と、表示枠の線の色、太さ、形状等のオブジェクト表示属性情報の少なくともいずれか一方を含む表示スタイルが登録されている表示スタイルファイルに基づいて、置換テーブルを作成する置換テーブル作成ステップであって、前記組版情報ファイルに登録された前記複数の関連情報の種別のうち１つの種別を指定する種別指定ステップと、前記種別指定ステップにより指定された種別に分類された関連情報のうち１つの関連情報を更に指定する関連情報指定ステップと、前記種別指定ステップにより指定された種別と、前記関連情報指定ステップにより指定された関連情報とを、前記表示スタイルファイルに登録された１つの前記表示スタイルと対応付けて置換レコードを作成する置換レコード作成ステップと、を有し、前記置換レコード作成ステップが作成した一又は複数の前記置換レコードを含む前記置換テーブルを作成する前記置換テーブル作成ステップと、前記コンピュータが、前記基準フレームのサイズを、割り付け対象の商品に対応付けられた前記割り付け領域のサイズに対応付けて調整する旨が設定された基準フレーム設定情報と、前記基準フレームと前記従属フレームの所定の基準位置に基づいて、各前記従属フレームの配置位置又は配置位置とサイズを調整する調整方法が設定された従属フレーム設定情報と、を含むフレーム設定ファイルと、前記置換テーブル作成手段によって作成された置換テーブルと、前記表示スタイルファイルと、を小組設定ファイルとして記憶手段に記憶させる小組設定ファイル記憶制御ステップと、前記コンピュータが、前記記憶手段に記憶された前記小組設定ファイルの前記フレーム設定ファイルに従い、前記商品の前記複数の関連情報を割り付けるための前記小組レイアウトのレイアウト調整を行なう小組レイアウト調整ステップと、前記コンピュータが、前記小組レイアウト調整ステップによってレイアウト調整された小組レイアウトに、前記組版情報ファイルに登録された前記割り付け対象の商品の各前記関連情報を、それぞれ対応する前記小組レイアウトの各前記従属フレームに割り付ける割り付けステップと、前記コンピュータが、前記記憶手段に記憶された前記小組設定ファイルの前記置換テーブルを参照し、前記割り付けステップにて割り付けられた前記商品の関連情報及び種別が指定された前記置換レコードが前記置換テーブルに登録されているか否かを判定する判定ステップと、前記コンピュータが、前記判定ステップによる判定の結果、前記割り付けステップにて割り付けられた前記商品の関連情報及び種別が指定された前記置換レコードが前記置換テーブルに登録されている場合には、割り付けステップにより各前記関連情報が割り付けされた前記小組レイアウトのデータを前記割り付け領域に割り付ける際、当該置換レコードにて対応付けられている前記表示スタイルに基づいて、前記割り付け領域に割り付けを行なう表示スタイル適用ステップと、を有することを特徴とする組版方法である。
【０００９】
上記課題を解決するために、請求項２に記載の発明は、商品に関する文字テキストや画像等の関連情報であって、複数の商品に関する複数の関連情報を小組レイアウトに従って台紙上の割り付け領域に割り付けて組版処理を行なう組版装置であって、前記複数の関連情報が、当該関連情報の種別毎に分類され、前記商品毎に対応付けて登録されている組版情報ファイルを取得する組版情報ファイル取得手段と、前記小組レイアウトを構成する基準フレーム、又は当該基準フレーム内に配置される複数の従属フレームであって何れかの前記種別に対応する複数の前記従属フレームに、前記関連情報を割り付ける際の文字テキストの色、サイズ等の文字表示属性情報と、表示枠の線の色、太さ、形状等のオブジェクト表示属性情報の少なくともいずれか一方を含む表示スタイルが登録されている表示スタイルファイルに基づいて、置換テーブルを作成する置換テーブル作成手段あって、前記組版情報ファイルに登録された前記複数の関連情報の種別のうち１つの種別を指定する種別指定手段と、前記種別指定手段により指定された種別に分類された関連情報のうち１つの関連情報を更に指定する関連情報指定手段と、前記種別指定手段により指定された種別と、前記関連情報指定手段により指定された関連情報とを、前記表示スタイルファイルに登録された１つの前記表示スタイルと対応付けて置換レコードを作成する置換レコード作成手段と、を有し、前記置換レコード作成手段にて作成した一又は複数の前記置換レコードを含む前記置換テーブルを作成する前記置換テーブル作成手段と、前記基準フレームのサイズを、割り付け対象の商品に対応付けられた前記割り付け領域のサイズに対応付けて調整する旨が設定された基準フレーム設定情報と、前記基準フレームと前記従属フレームの所定の基準位置に基づいて、各前記従属フレームの配置位置又は配置位置とサイズを調整する調整方法が設定された従属フレーム設定情報と、を含むフレーム設定ファイルと、前記置換テーブル作成手段によって作成された置換テーブルと、前記表示スタイルファイルと、を小組設定ファイルとして記憶手段に記憶させる小組設定ファイル記憶制御手段と、前記記憶手段に記憶された前記小組設定ファイルの前記フレーム設定ファイルに従い、前記商品の前記複数の関連情報を割り付けるための前記小組レイアウトのレイアウト調整を行なう小組レイアウト調整手段と、前記小組レイアウト調整手段によってレイアウト調整された小組レイアウトに、前記組版情報ファイルに登録された前記割り付け対象の商品の各前記関連情報を、それぞれ対応する前記小組レイアウトの各前記従属フレームに割り付ける割り付け手段と、前記記憶手段に記憶された前記小組設定ファイルの前記置換テーブルを参照し、前記割り付け手段にて割り付けられた前記商品の関連情報及び種別が指定された前記置換レコードが前記置換テーブルに登録されているか否かを判定する判定手段と、判定の結果、前記割り付けステップにて割り付けられた前記商品の関連情報及び種別が指定された前記置換レコードが前記置換テーブルに登録されている場合には、割り付け手段により各前記関連情報が割り付けされた前記小組レイアウトのデータを前記割り付け領域に割り付ける際、当該置換レコードにて対応付けられている前記表示スタイルに基づいて、前記割り付け領域に割り付けを行なう表示スタイル適用手段と、を有することを特徴とする組版装置である。
【発明の効果】
【００１０】
本発明は、小組設定ファイルのフレーム設定ファイルに従い調整された小組レイアウトに対して、商品の各関連情報を割り付け、割り付け後の小組レイアウトのデータを台紙の割り付け領域に割り付けるよう構成し、更に、小組レイアウトのデータを台紙の割り付け領域に割り付ける際には、置換テーブルに対応する置換レコードがあれば、当該置換レコードにて指定されている表示スタイルを適用するよう構成した。これにより、商品毎に表示スタイルや小組を構成するフレームレイアウトが異なる場合であっても、手間なく容易に自動組版処理を行なうことができる。
【図面の簡単な説明】
【００１１】
【図１】本実施形態に係るＤＴＰ編集装置１０の構成例を示す図である。
【図２】レイアウト紙面ファイル１２１の一例である。
【図３】組版情報ファイル１２２の一例である。
【図４】小組レイアウトの説明図である。
【図５】表示スタイルファイル１２４ａの一例である。
【図６】置換テーブル作成処理における設定画面の一例である。
【図７】置換レコード設定画面の一例である。
【図８】置換テーブル作成処理にて作成された置換テーブル１２４ｂの一例である。
【図９】調整フレーム選択画面の一例である。
【図１０】フレーム設定画面の一例である。
【図１１】従属フレーム２１と基準フレーム２０の基準座標を説明するための説明図である。
【図１２】位置、サイズ設定「移動のみ」が選択された場合に、表示部１３に表示される従属フレーム設定画面の一例である。
【図１３】従属フレーム２１の移動を示す説明図である。
【図１４】位置、サイズ設定「移動と幅方向のサイズ調整」が選択された場合に、表示部１３に表示される従属フレーム設定画面の一例である。
【図１５】従属フレーム２１の移動と幅方向のサイズ調整を示す説明図である。
【図１６】位置、サイズ設定「移動と高さ方向のサイズ調整」が選択された場合に、表示部１３に表示される従属フレーム設定画面の一例である。
【図１７】従属フレーム２１の移動と高さ方向のサイズ調整を示す説明図である。
【図１８】位置、サイズ設定「移動と幅及び高さ方向のサイズ調整」が選択された場合に、表示部１３に表示される従属フレーム設定画面の一例である。
【図１９】従属フレーム２１の移動と幅及び高さ方向のサイズ調整を示す説明図である。
【図２０】フレーム設定ファイル１２４ｃの一例である。
【図２１】ＤＴＰ編集装置１０の制御部１１の組版処理を示すフローチャートである。
【図２２】組版されたページデータ１２５の一例である。
【図２３】小組Ａと小組Ｂを示す図である。
【発明を実施するための形態】
【００１２】
以下、本発明を実施するための実施形態について、図面に基づいて説明する。
【００１３】
先ず、本実施形態に係る組版端末の構成及び機能について、図１を参照して説明する。
【００１４】
図１は、小組ファイルに従い台紙上の流し込み領域に対して自動組版を行なうＤＴＰ編集装置１０の構成例であり、ＤＴＰ編集装置１０は、本発明における組版装置の一例である。
【００１５】
ＤＴＰ編集装置１０は、演算機能を有するＣＰＵ、作業用ＲＡＭ、各種データ及びプログラムを記憶するＲＯＭ等から構成されたコンピュータとしての制御部１１、ハードディスクドライブ等を備える記憶部１２、液晶ディスプレイ等の表示画面を備える表示部１３、割り付け作業者からの指示を受け付け当該指示に応じた指示信号を制御部１１に対して与える入力部（例えば、キーボード、マウス、或いは、操作パネル等）１４と、及びネットワーク（ＬＡＮ（Local Area Network）を含む）を介して図示しない他のデータベースサーバや顧客コンピュータと通信を行なうための通信部１５を備えて構成されている。
【００１６】
記憶部１２には、１つの小組と、レイアウト紙面ファイル１２１と、組版情報ファイル１２２と、画像データファイル１２３と、小組設定ファイル１２４と、組版されたページデータ１２５が記憶されている。
【００１７】
以下、記憶部１２に記憶されている各ファイルについて説明する。
【００１８】
＜レイアウト紙面ファイル１２１＞
図２は、レイアウト紙面ファイル１２１の一例である。
【００１９】
レイアウト紙面ファイル１２１は、台紙１２１ａと、カタログ、チラシ、又は雑誌等のＤＴＰデータの基になる各商品（カタログ等の紙面上に掲載される商品）の情報（関連情報）が割り付けられる流し込みフレーム１２１ｂに関する情報であり、台紙１２１ａと流し込みフレーム１２１ｂのサイズや形状、また、台紙１２１ａ上における流し込みフレーム１２１ｂの配置位置等の情報を含む。
【００２０】
流し込みフレーム１２１ｂは、本発明の割り付け領域の一例であり、商品毎に対応付けられている。図２に示すレイアウト紙面ファイル１２１の例の場合には、台紙１２１ａ上に５つの流し込みフレーム１２１ｂがあるため、５つの商品の関連情報が各流し込みフレームに割り付けられる。
【００２１】
＜組版情報ファイル１２２＞
図３は、組版情報ファイル１２２の一例である。
【００２２】
組版情報ファイル１２２は、各商品に関する文字テキストや画像等の関連情報が、種別毎に分類されて対応付けて登録されたファイルである。組版処理にて、組版情報ファイル１２２から各商品の各関連情報が取得され、小組レイアウトの各フレーム（後述する）に各関連情報が割り付けられ、台紙１２１ａの所定の流し込みフレーム１２１ｂに流し込まれ（割付され）る。以下の説明において、関連情報の種別を「フィールド」と称する。
【００２３】
図３に示す例の場合、５つの商品の関連情報が登録されている。商品のフィールドとして、商品の名称である「商品名」、商品を一意に特定するための「型番」、商品の属性や性質を示す「カテゴリー」、商品の「画像データ情報」及び商品の「価格」が登録されており、商品に関する複数の関連情報がそれぞれ対応する種別毎に登録されている。例えば、商品“チェア”（言い換えれば、商品名が“チェア”の商品）について説明すると、フィールド「商品名」には、関連情報“チェア”が登録され、フィールド「型番」には、関連情報“01-0123”が登録され、フィールド「カテゴリー」には、関連情報“家具”が登録され、フィールド「画像データ情報」には、関連情報“Chair.eps”が登録され、フィールド「価格」には、“12000”が登録されている。
【００２４】
なお、組版情報ファイル１２２は、割り付け作業者が入力部１４を介して組版情報ファイル１２２の取得指示を行なうことにより、制御部１１が、組版情報ファイル取得手段として機能し、ネットワークを介して他のデータベースサーバや顧客コンピュータから取得する。取得された組版情報ファイル１２２は、制御部１１の制御の下、記憶部１２に記憶され、組版処理にて利用される。
【００２５】
＜画像データファイル１２３＞
画像データファイル１２３は、組版情報ファイル１２２に登録されているフィールド「画像データ情報」の関連情報に対応する画像データが登録されているファイルである。この画像データファイル１２３も、制御部１１が、組版情報ファイル１２２と共に他のデータベースサーバや顧客コンピュータから取得し記憶部１２に記憶する。そして、組版情報ファイル１２２に登録されているフィールド「画像データ情報」に登録された関連情報（例えば、Chair.eps）の割り付けが行なわれる際には、当該関連情報に対応する（紐付けられた）画像データ（例えば、Chair.epsの画像データ）が画像データファイル１２３から取得されて割付が行なわれる。
【００２６】
＜小組設定ファイル１２４＞
小組設定ファイル１２４は、小組レイアウトを調整するためのものである。小組設定ファイル１２４は、表示スタイルファイル１２４ａ、「置換テーブル作成処理」（後述する）にて作成される置換テーブル１２４ｂ、「フレーム設定ファイル作成処理」（後述する）にて作成されるフレーム設定ファイル１２４ｃとにより構成される。
【００２７】
＜小組レイアウト＞
ここで、小組レイアウトについて図を参照して説明する。図４は、小組レイアウトの説明図である。
【００２８】
小組レイアウトは、各商品の関連情報を、台紙１２１ａ上の対応する流し込みフレーム１２１ｂに割り付ける際に利用するものであり、基準フレーム２０と当該基準フレーム２０内に配置される複数の従属フレーム２１により構成される。
【００２９】
図４に示す小組レイアウトの例では、基準フレーム２０内に、４つの従属フレーム２１ａ、２１ｂ、２１ｃ及び２１ｄが設定されている。
【００３０】
そして、記憶部１２には、各従属フレーム２１を商品の関連情報の何れかのフィールド（種別）に対応付けた小組が予め記憶されている。記憶部１２に記憶された小組における各従属フレーム２１とフィールドの対応付けを小組情報と称する。
【００３１】
本実施形態では、従属フレーム２１ａはフィールド「商品名」に対応し、従属フレーム２１ｂはフィールド「型番」に対応し、従属フレーム２１ｃはフィールド「画像データ情報」に対応し、従属フレーム２１ｄはフィールド「価格」に対応づけられている。
【００３２】
組版情報ファイル１２２から取得された任意の商品の関連情報が、そのフィールドに従って、小組情報によって対応付けられた従属フレーム２１ａ〜２１ｄに割り付けられる。そして、任意の商品の関連情報が割付された小組レイアウトのデータが、台紙１２１ａの対応する流し込みフレーム１２１ｂにコピーされる（割り付けられる）。なお、フィールド「画像データ情報」に、任意の商品の関連情報（例えば、Chair.eps）が流し込まれる際には、関連情報に対応する画像データが画像データファイル１２３から取得されて割付が行なわれる。
【００３３】
図４を参照して、商品“チェア”を例に説明すると、商品“チェア”の関連情報が組版情報ファイル１２２から取得され、各関連情報が、そのフィールドに従い、小組レイアウトを構成する従属フレーム２１のうち、小組情報によって対応付けられた従属フレーム２１ａ〜２１ｄに割り付けられる。このとき、画像データファイル１２３からChair.epsの画像データが取得され、従属フレーム２１ｃに割り付けられる。商品“チェア”の関連情報が割付された小組レイアウトのデータが、対応する流し込みフレーム１２１ｂにコピーされる。
【００３４】
このように、組版情報ファイル１２２に登録されている全ての商品について、小組レイアウトを利用して関連情報の割付を順に行なって、対応する流し込みフレーム１２１ｂに割付された小組レイアウトのデータをコピーして割り付けを行なう。なお、どの商品の小組レイアウトのデータが、台紙１２１ａ上のどの流し込みフレーム１２１ｂにコピーされるかは、予め対応付けられており、この対応付け情報は、記憶部１２に記憶されているものとする。
【００３５】
＜表示スタイル設定＞
ところで、商品の関連情報を小組レイアウトに割り付ける際の文字テキストの色、サイズ等や、小組レイアウトの表示枠の色等を、商品毎に変えたい場合がある。この場合にも、小組設定ファイル１２４の表示スタイルファイル１２４ａと置換テーブル１２４ｂを用いることにより、商品毎に表示スタイルを変更することができる。以下、表示スタイル設定について詳細に説明する。
【００３６】
小組設定ファイル１２４の表示スタイルファイル１２４ａには、各商品の関連情報を小組レイアウトに割り付ける際の文字テキストの色、サイズ等の文字表示属性情報や、小組レイアウトの表示枠の線の色、太さ、形状等のオブジェクト表示属性情報が表示スタイルとして登録されている。
【００３７】
図５は、表示スタイルファイル１２４ａの一例である。
【００３８】
図５に示す表示スタイルファイル１２４ａの、表示スタイル名「イエロー」には、塗りカラーを“きいろ”、線カラーを“くろ”、線パターンを“実線”とするオブジェクト表示属性情報が登録されており、表示スタイル名「文字スタイル１」には、文字カラーを“あか”、フォントを“ゴシック”、文字サイズを“９ｐｔ”とする文字表示属性情報が登録されている。
【００３９】
商品の関連情報が割付された小組レイアウトのデータを、対応する流し込みフレーム１２１ｂに割り付ける（コピーする）際に、例えば、表示スタイル名「文字スタイル１」を適用する場合には、当該表示スタイルファイル１２４ａの表示スタイル名「文字スタイル１」を参照し、商品の商品名や価格等の関連情報を、「“あか”の“ゴシック体”で“９ｐｔ”」の文字テキストにより割り付けを行なう。なお、商品の関連情報が割付された小組レイアウトのデータを、対応する流し込みフレーム１２１ｂに割り付ける（コピーする）際に、どの表示スタイルを適用するかは、「置換テーブル作成処理」にて作成された置換テーブル１２４ｂにて予め決定され小組設定ファイル１２４に記憶されている。以下、置換テーブル作成処理について説明する。
【００４０】
＜置換テーブル作成処理＞
図６は、置換テーブル作成処理における設定画面の一例である。
【００４１】
置換テーブル作成処理は制御部１１が置換テーブル作成手段として機能する処理であり、割り付け作業者が入力部１４を介して置換テーブル作成処理の実行を指示したときに開始される。
【００４２】
置換テーブル作成処理が開始されると、図６（Ａ）に示す置換テーブル設定画面が表示部１３に表示される。
【００４３】
図６（Ａ）は、置換テーブル名「カテゴリー色分け」の置換テーブルを作成する際の表示部１３の設定画面例である。
【００４４】
割り付け作業者が、入力部１４を操作することにより新規作成ボタンが押される（選択される）と、図６（Ｂ）に示す置換レコード設定画面が表示部１３に表示される（図６＜１＞）。
【００４５】
次に、割り付け作業者が、入力部１４を操作して、置換レコード名（例えば、インテリア＿スタイル）を入力する。
【００４６】
次いで、制御部１１が種別指定手段として機能し、組版情報ファイル１２２に登録されたフィールドのうち、１つのフィールドを参照フィールドとして指定する。参照フィールドとして指定されたフィールドは、図６（Ｂ）の置換レコード設定画面の「フィールド名」の欄にて表示される。参照フィールドは、割り付け作業者が入力部１４を介して組版情報ファイル１２２のフィールドから１つのフィールドを選択することにより指定される。なお、置換レコード設定画面（図６（Ｂ））のフィールド名の欄と、組版情報ファイル１２２に登録された全てのフィールドとを対応付けておき、置換レコード設定画面（図６（Ｂ））のフィールド名の欄にカーソルを合わせると、図７に示すように、組版情報ファイル１２２に登録された全てのフィールドが閲覧できるよう構成し、割り付け作業者がカーソルを合わせたフィールドが選択されるよう構成してもよい。又は、表示部１３の別ウィンドウにて組版情報ファイル１２２を閲覧できるよう構成し、割り付け作業者が入力部１４のキーボード等にて参照フィールドを入力するよう構成してもよい。
【００４７】
続いて、制御部１１が、関連情報指定手段として機能し、組版情報ファイル１２２を参照して、指定されたフィールド（参照フィールド）に分類された関連情報のうち、１つの関連情報を指定する。
【００４８】
例えば、参照フィールドがフィールド“商品名”である場合には、組版情報ファイル１２２のフィールド“商品名”に分類（登録）されている“チェア”“テーブル”“カーテン”“安眠まくら”“○☆製品安眠・快適ベッド！”から１つの関連情報を指定する。参照フィールドがフィールド“カテゴリー”である場合には、組版情報ファイル１２２のフィールド“カテゴリー”に分類（登録）されている“家具”“インテリア”“寝具”のから１つの関連情報を指定する。図６（Ｂ）には指定された関連情報を「値」として表示している。具体的には、割り付け作業者が、組版情報ファイル１２２を参照して、入力部１４を介して１つの関連情報を選択して指定する。例えば、置換レコード設定画面（図６（Ｂ））の値の欄と、組版情報ファイル１２２の指定された参照フィールドに登録された全ての関連情報とを対応付けておき、置換レコード設定画面（図６（Ｂ））の値の欄にカーソルを合わせると、組版情報ファイル１２２の参照フィールドに登録された全ての関連情報が閲覧できるよう構成すればよい。又は、表示部１３の別ウィンドウにて組版情報ファイル１２２を閲覧できるよう構成し、割り付け作業者が参照フィールドに登録された関連情報のうち、１つの関連情報を入力部１４のキーボード等にて入力するよう構成してもよい。図６（Ｂ）に示す例の場合、参照フィールド「カテゴリー」から、値（関連情報）「インテリア」が指定されている。
【００４９】
次に、制御部１１が、表示スタイルファイル１２４ａに登録された表示スタイルから１つの表示スタイルを適用する表示スタイルとして指定する。つまり、参照フィールド「カテゴリー」の、値（関連情報）が「インテリア」である商品について、当該商品の関連情報が割付された小組レイアウトのデータを、対応する流し込みフレーム１２１ｂに割り付ける（コピーする）際に、適用する表示スタイルを指定する。具体的には、割り付け作業者が表示スタイルファイル１２４ａを参照して、入力部１４を介して１つの表示スタイルを選択することにより、指定される。図６（Ｂ）に示す例では、表示スタイル「イエロー」が指定されている。
【００５０】
そして、置換レコード名と、参照フィールドと、値（関連情報）と、適用する表示スタイルを指定した後に、割り付け作業者が「ＯＫ」ボタンを選択すると、制御部１１が、置換レコード作成手段として機能し、指定された参照フィールドと、値（関連情報）と、表示スタイルと、を対応付けて置換レコードを設定（作成）する（図６＜２＞）。そして、図６（Ｃ）に示すように、置換テーブル名「カテゴリー色分け」に、作成された置換レコードが新たに設定される。そして、制御部１１は、作成された一又は複数の置換レコードを含む置換テーブル１２４ｂを作成する。そして、制御部１１は、作成した置換テーブル１２４ｂを記憶部１２の小組設定ファイル１２４に記憶する。
【００５１】
このように、小組レイアウトのデータを流し込みフレーム１２１ｂに割り付ける際に適用する表示スタイルを、置換テーブル１２４ｂにて管理することができるので、小組設定ファイル１２４の置換テーブル１２４ｂを編集することにより、表示スタイルの変更を容易に行なうことができる。例えば、図６（Ａ）の画面にて、割り付け作業者が、入力部１４を操作して、編集したい置換レコードをカーソルにて指定し、その後に、「編集ボタン」が押される（選択される）ことにより、置換レコード設定画面にて置換レコードの編集作業を行なうよう構成すればよい。
【００５２】
図８は、上述した置換テーブル作成処理にて作成された置換テーブル１２４ｂの一例である。
【００５３】
図８に示す例では、置換テーブル名「カテゴリー色分け」と「セール品価格」の２つの置換テーブルが登録されている。そして、置換テーブル名「カテゴリー色分け」には、置換レコード名「インテリア＿スタイル」と「寝具＿スタイル」の２つの置換レコードが登録されており、置換テーブル名「セール品価格」には、置換レコード名「今月の特集商品」の置換レコードが登録されている。
【００５４】
例えば、割り付け対象の商品が“カーテン”（図３参照）の場合、置換テーブル１２４ｂ（図８参照）には、フィールド名「カテゴリー」と値「インテリア」が登録された置換レコード（置換レコード名「インテリアスタイル」）が登録されているため、カーテンの関連情報が割付された小組レイアウトのデータを、対応する流し込みフレーム１２１ｂに割り付ける（コピーする）際に、置換レコード名「インテリアスタイル」にて対応付けられている表示スタイル「イエロー」を適用する。
【００５５】
＜小組レイアウトのフレーム設定＞
続いて、小組レイアウトを構成する基準フレーム及び従属フレームの設定について説明する。
【００５６】
小組レイアウトは、記憶部１２に記憶されている小組を構成する複数のフレームのそれぞれに、基準フレーム２０又は従属フレーム２１の何れかを設定して定義する。そして、基準フレーム２０を、台紙１２１ａ上の対応する流し込みフレーム１２１ｂのサイズに対応するよう調整する旨の基準フレーム設定情報と、従属フレーム２１ａ〜２１ｄの配置位置及びサイズを調整する調整方法を設定する従属フレーム設定情報を、フレーム設定ファイル１２４ｃとして小組設定ファイル１２４に記憶させる。
【００５７】
以下、フレーム設定ファイル１２４ｃを作成するフレーム設定ファイル作成処理について説明する。
【００５８】
＜フレーム設定ファイル作成処理＞
フレーム設定ファイル作成処理は、制御部１１の制御に基づいて実行される処理であり、割り付け作業者が入力部１４を介してフレーム設定ファイル作成処理の実行を指示したときに開始される。
【００５９】
フレーム設定ファイル作成処理が開始されると、調整したいフレームを選択するための「調整フレーム選択画面」が表示部１３に表示される。
【００６０】
図９は、調整フレーム選択画面の一例であり、記憶部１２に記憶された小組のレイアウト（以下、初期設定状態の小組レイアウトと称する）が表示されている。初期設定状態の小組レイアウトでは、フレームａ〜ｅにより構成されている。
【００６１】
そして、表示画面には、「調整したいフレームを選択し、表示サイズ調整ボタンを選択してください」等の案内が提示されており、割り付け作業者が、案内に従って、入力部１４を操作して調整したいフレーム上にカーソルを合わせて選択し、「表示サイズ調整」ボタンが押される（選択される）と、図１０に示す「フレーム設定画面」が表示部１３に表示され、当該選択されたフレームに対するサイズ調整が開始される。図９に示す例の場合、フレームｄが選択されている。
【００６２】
次に、割り付け作業者が、入力部１４を操作して図１０に示すラジオボタンを選択することにより、図９にて選択したフレームを基準フレームとして設定するか、従属フレームとして設定するかが選択される。
【００６３】
図９の調整フレーム選択画面にて選択したフレームを基準フレームとして設定することが選択された場合（「基準フレーム設定」のラジオボタンが選択された場合）に、選択されたフレームが基準フレーム２０として決定される。そして、割り付け作業者が、入力部１４を操作することにより、「ＯＫ」ボタンを選択すると、選択されたフレームａが基準フレーム２０であるとする情報がフレーム設定ファイル１２４ｃに登録される。
【００６４】
なお、記憶部１２に記憶されている小組の従属フレーム２１は、それぞれ関連情報のフィールドと対応付けられている。従って、フレームａ〜ｅのうち、関連情報のフィールドと対応付けられていないフレームのみ基準フレーム２０として設定可能に構成することが好ましい。また、基準フレームの設定は、割り付け作業者による選択を介さず、単に、フレームａ〜ｅのうち関連情報のフィールドと対応付けられていないフレームを基準フレーム２０として自動設定しフレーム設定ファイル１２４ｃに登録してもよい。
【００６５】
一方、図９の調整フレーム選択画面にて選択したフレームを、従属フレーム２１として設定する場合（「従属フレーム設定」のラジオボタンが選択された場合）には、更に、位置、サイズ設定についての詳細設定が行なわれる。なお、従属フレーム２１の位置、サイズ設定は、基準フレーム２０に対する従属フレーム２１の配置位置とサイズを調整するための設定である。言い換えれば、従属フレーム２１の位置、サイズ設定は、基準フレーム２０を基準とする処理である。従って、基準フレーム２０が設定された後にのみ処理を行なうことができるようになっている。例えば、基準フレーム２０が未設定の場合に、図９の調整フレーム選択画面にて選択したフレームを、従属フレーム２１として設定するよう指示された場合（「従属フレーム設定」のラジオボタンが選択された場合）には、“基準フレームが未設定です”などの文言を表示部１３に表示させ、割り付け作業者に注意を促したり、基準フレーム２０が未設定の場合には、「従属フレーム設定」のラジオボタンが選択できないよう構成すればよい。なお、フレームａ〜ｅのうち、記憶部１２に記憶されている小組にて、関連情報のフィールドと対応付けられているフレームのみ従属フレーム２１として設定可能に構成することが好ましい。
【００６６】
そして、割り付け作業者が、入力部１４を操作することにより、「移動のみ」、「移動と幅方向のサイズ調整」、「移動と高さ方向のサイズ調整」及び「移動と幅及び高さ方向のサイズ調整」の４つの位置、サイズ設定方法（調整方法の一例）のうち、１つの位置、サイズ設定方法がラジオボタンにて選択され、「詳細設定」ボタンを選択すると、選択された位置、サイズ設定方法に従って、従属フレーム２１の配置位置又は配置位置とサイズが設定される。本実施形態では、従属フレーム２１の配置位置又は配置位置とサイズを設定するための、基準フレーム２０と従属フレーム２１の所定の基準位置は、従属フレーム２１と基準フレーム２０の所定の基準点の座標である基準座標を一例として用いる。
【００６７】
＜従属フレーム２１の位置、サイズ設定方法＞
以下、従属フレーム２１の４つの位置、サイズ設定方法について図を用いて詳細に説明する。
【００６８】
図１１は、基準フレーム２０と従属フレーム２１の基準座標を説明するための説明図である。なお、従属フレーム２１は、基準フレーム２０に複数配置されるものであるが、図１１では、説明及び図示を簡単にするため、位置、サイズ設定の対象となる１つの従属フレーム２１のみを図示している。
【００６９】
基準フレーム２０と従属フレーム２１の基準点はそれぞれ９点あり、以下の説明において、基準フレーム２０における点Ａに対応する基準座標を左上、点Ｂに対応する基準座標を左中、点Ｃに対応する基準座標を左下、点Ｄに対応する基準座標を上中、点Ｅに対応する基準座標を中心、点Ｆに対応する基準座標を下中、点Ｇに対応する基準座標を右上、点Ｈに対応する基準座標を右中、点Ｉに対応する基準座標を右下と称する。
【００７０】
そして、従属フレーム２１における点ａに対応する基準座標を左上、点ｂに対応する基準座標を左中、点ｃに対応する基準座標を左下、点ｄに対応する基準座標を上中、点ｅに対応する基準座標を中心、点ｆに対応する基準座標を下中、点ｇに対応する基準座標を右上、点ｈに対応する基準座標を右中、点ｉに対応する基準座標を右下と称する。
【００７１】
＜１．移動のみ＞
位置、サイズ設定「移動のみ」は、初期設定状態の小組レイアウトの従属フレーム２１の配置位置を変更する設定である。
【００７２】
図１２は、位置、サイズ設定「移動のみ」が選択された場合に、表示部１３に表示される従属フレーム設定画面の一例である。
【００７３】
割り付け作業者が、入力部１４によって基準フレーム２０と従属フレーム２１の基準座標を選択することにより基準座標が決定される。図１２に示す例の場合、基準フレーム２０と従属フレーム２１の「左上」が選択され、基準フレーム２０の点Ａと従属フレーム２１の点ａが基準座標として設定される。
【００７４】
次に、設定された基準座標間（例えば、点Ａと点ａ間）のＸ方向とＹ方向の距離が、割り付け作業者による入力によって設定される。なお、基準座標間のＸ方向とＹ方向の距離を設定する前は、初期設定状態の小組レイアウトにおける基準フレーム２０と従属フレーム２１の基準座標間の距離が表示されているものとする。図１２に示す例では、Ｘ方向、Ｙ方向共に「2.005ｍｍ」として表示されている。
【００７５】
図１３は、従属フレーム２１の移動を示す説明図である。
【００７６】
図１３は、図１２に示した従属フレーム設定画面にて、割り付け作業者が、入力部１４を操作して、
・基準座標間のＸ方向とＹ方向の距離を10ｍｍ
と設定したときの従属フレーム２１の移動の説明図である。
【００７７】
具体的には、制御部１１は、後の組版処理において、従属フレーム２１を、基準フレーム２０の点Ａと従属フレーム２１の点ａのＸ方向の距離とＹ方向の距離が設定された距離となるよう、従属フレーム２１を配置（移動）する。なお、従属フレーム２１のサイズ調整は行われない。つまり、従属フレーム２１の幅と高さの距離は固定である。
【００７８】
図１３に示す例では、基準フレーム２０の点Ａと従属フレーム２１の点ａのＸ方向の距離とＹ方向の距離が初期設定状態で2.005ｍｍであったのが（図中破線にて示す）、各距離が10ｍｍとなるよう従属フレーム２１が移動されている。
【００７９】
＜２．移動と幅方向のサイズ調整＞
位置、サイズ設定「移動と幅方向のサイズ調整」は、初期設定状態の小組レイアウトの従属フレーム２１の配置位置と幅方向のサイズを変更する設定である。
【００８０】
図１４は、位置、サイズ設定「移動と幅方向のサイズ調整」が選択された場合に、表示部１３に表示される従属フレーム設定画面の一例である。
【００８１】
割り付け作業者が、入力部１４によって基準フレーム２０と従属フレーム２１の基準座標を選択することにより基準座標が決定される。図１４に示す例の場合、基準フレーム２０と従属フレーム２１の「上辺の頂点」、「水平中心点」、「下辺の頂点」のうち、「上辺の頂点」が選択され、「上辺の頂点」である基準フレーム２０の点Ａと点Ｇ、従属フレーム２１の点ａと点ｇが基準座標として設定される。
【００８２】
次に、左側の基準座標間のＸ方向とＹ方向の距離と、右側の基準座標間のＸ方向とＹ方向の距離が、割り付け作業者による入力によって設定される。なお、左側及び右側の基準座標間のＸ方向とＹ方向の基準座標間距離を設定する前は、初期設定状態の小組レイアウトにおける基準フレーム２０と従属フレーム２１の基準座標間の距離が表示されているものとする。
【００８３】
図１５は、従属フレーム２１の移動と幅方向のサイズ調整を示す説明図である。
【００８４】
図１５は、図１４に示した従属フレーム設定画面にて、割り付け作業者が、入力部１４を操作して、
・左側の基準座標間のＸ方向の距離を10ｍｍ
・左側の基準座標間のＹ方向の距離を20ｍｍ
・右側の基準座標間のＸ方向の距離を7ｍｍ
・右側の基準座標間のＹ方向の距離を20ｍｍ
と設定したときの従属フレーム２１の移動と幅方向のサイズ調整を示す説明図である。
【００８５】
具体的には、制御部１１は、後の組版処理において、基準フレーム２０の左側の基準座標である点Ａと、従属フレーム２１の右側の基準座標である点ａのＸ方向の距離が10ｍｍ、Ｙ方向の距離が20ｍｍ、基準フレーム２０の右側の基準座標である点Ｇと、従属フレーム２１の右側の基準座標である点ｇのＸ方向の距離が7ｍｍ、そしてＹ方向の距離が20ｍｍとなるよう、従属フレーム２１の移動及びサイズ調整を行なう。
【００８６】
なお、この処理は、位置、サイズ設定「移動と幅方向のサイズ調整」が選択された場合の処理であるため、従属フレーム２１の高さ方向のサイズ調整は行われない。つまり、従属フレーム２１の高さの距離は固定である。
【００８７】
また、「左側の基準座標間のＹ方向の距離」と「右側の基準座標間のＹ方向の距離」を異なる距離とすれば、従属フレーム２１を基準フレーム２０に対して回転するよう位置を設定することができる。また、「左側の基準座標間のＹ方向の距離」と「右側の基準座標間のＹ方向の距離」は同一の距離のみ設定可能に構成すれば、従属フレーム２１を基準フレーム２０に対して回転しないようにすることもできる。
【００８８】
＜３．移動と高さ方向のサイズ調整＞
位置、サイズ設定「移動と高さ方向のサイズ調整」は、初期設定状態の小組レイアウトの従属フレーム２１の配置位置と高さ方向のサイズを変更する設定である。
【００８９】
図１６は、位置、サイズ設定「移動と高さ方向のサイズ調整」が選択された場合に、表示部１３に表示される従属フレーム設定画面の一例である。
【００９０】
割り付け作業者が、入力部１４によって基準フレーム２０と従属フレーム２１の基準座標を選択することにより基準座標が決定される。図１６に示す例の場合、基準フレーム２０と従属フレーム２１の「左辺の頂点」、「垂直中心点」、「右辺の頂点」のうち、「左辺の頂点」が選択され、「左辺の頂点」である基準フレーム２０の点Ａと点Ｃ、従属フレーム２１の点ａと点ｃが基準座標として設定される。
【００９１】
次に、上側の基準座標間のＸ方向とＹ方向の距離と、下側の基準座標間のＸ方向とＹ方向の距離が、割り付け作業者による入力によって設定される。なお、上側及び下側の基準座標間のＸ方向とＹ方向の基準座標間距離を設定する前は、初期設定状態の小組レイアウトにおける基準フレーム２０と従属フレーム２１の基準座標間の距離が表示されているものとする。
【００９２】
図１７は、従属フレーム２１の移動と高さ方向のサイズ調整を示す説明図である。
【００９３】
図１７は、図１６に示した従属フレーム設定画面にて、割り付け作業者が、入力部１４を操作して、
・上側の基準座標間のＸ方向の距離を32ｍｍ
・上側の基準座標間のＹ方向の距離を4.3ｍｍ
・下側の基準座標間のＸ方向の距離を32ｍｍ
・下側の基準座標間のＹ方向の距離を2ｍｍ
と設定したときの従属フレーム２１の移動と高さ方向のサイズ調整を示す説明図である。
【００９４】
具体的には、制御部１１は、後の組版処理において、基準フレーム２０の上側の基準座標である点Ａと、従属フレーム２１の上側の基準座標である点ａのＸ方向の距離が32ｍｍ、Ｙ方向の距離が4.3ｍｍ、基準フレーム２０の下側の基準座標である点Ｃと、従属フレーム２１の下側の基準座標である点ｃのＸ方向の距離が32ｍｍ、そしてＹ方向の距離が2ｍｍとなるよう、従属フレーム２１の移動及びサイズ調整を行なう。
【００９５】
なお、この処理は、位置、サイズ設定「移動と高さ方向のサイズ調整」が選択された場合の処理であるため、従属フレーム２１の幅方向のサイズ調整は行われない。つまり、従属フレーム２１の幅の距離は固定である。
【００９６】
また、「上側の基準座標間のＸ方向の距離」と「下側の基準座標間のＸ方向の距離」を異なる距離とすれば、従属フレーム２１を基準フレーム２０に対して回転するよう位置を設定することができる。また、「上側の基準座標間のＸ方向の距離」と「下側の基準座標間のＸ方向の距離」は同一の距離のみ設定可能に構成すれば、従属フレーム２１を基準フレーム２０に対して回転しないようにすることもできる。
【００９７】
＜４．移動と幅及び高さ方向のサイズ調整＞
位置、サイズ設定「移動と幅及び高さ方向のサイズ調整」は、初期設定状態の小組レイアウトの従属フレーム２１の配置位置と幅及び高さ方向のサイズを変更する設定である。
【００９８】
図１８は、位置、サイズ設定「移動と幅及び高さ方向のサイズ調整」が選択された場合に、表示部１３に表示される従属フレーム設定画面の一例である。
【００９９】
この調整方法では、基準フレーム２０と従属フレーム２１の「左上の頂点」と「右下の頂点」が基準座標として設定される。つまり、基準フレーム２０の点Ａと点Ｉ、従属フレーム２１の点ａと点ｉが基準座標として設定される。
【０１００】
次に、左上の基準座標間のＸ方向とＹ方向の距離と、右下の基準座標間のＸ方向とＹ方向の距離が、割り付け作業者による入力によって設定される。なお、左上及び右下の基準座標間のＸ方向とＹ方向の基準座標間距離を設定する前は、初期設定状態の小組レイアウトにおける基準フレーム２０と従属フレーム２１の基準座標間の距離が表示されているものとする。
【０１０１】
図１９は、従属フレーム２１の移動と幅及び高さ方向のサイズ調整を示す説明図である。
【０１０２】
図１９は、図１８に示した従属フレーム設定画面にて、割り付け作業者が、入力部１４を操作して、
・左上の基準座標間のＸ方向の距離を32.8ｍｍ
・左上の基準座標間のＹ方向の距離を4.3ｍｍ
・右下の基準座標間のＸ方向の距離を17.2ｍｍ
・右下の基準座標間のＹ方向の距離を32.7ｍｍ
と設定したときの従属フレーム２１の移動と幅及び高さ方向のサイズ調整を示す説明図である。
【０１０３】
具体的には、制御部１１は、後の組版処理において、基準フレーム２０の左上の基準座標である点Ａと、従属フレーム２１の左上の基準座標である点ａのＸ方向の距離が32.8ｍｍ、Ｙ方向の距離が4.3ｍｍ、基準フレーム２０の右下の基準座標である点Ｃと、従属フレーム２１の右下の基準座標である点ｃのＸ方向の距離が17.2ｍｍ、そしてＹ方向の距離が32.7ｍｍとなるよう、従属フレーム２１の移動及びサイズ調整を行なう。
【０１０４】
以上説明したように、小組レイアウトを構成する各フレームａ〜ｅが、基準フレーム２０又は従属フレーム２１として設定され、更に、従属フレーム２１として設定された場合には、位置、サイズ設定の設定がされる。
【０１０５】
そして、フレームの種別情報（基準フレーム又は従属フレーム）と、位置、サイズ設定情報と、位置、サイズ設定の際の基準座標情報と、基準座標間の距離情報がフレームａ〜ｅ毎に対応付けられたフレーム設定情報が作成される。
【０１０６】
このように、組版情報ファイル１２２の商品のうち、小組レイアウトを変更したい商品のフレーム設定情報がそれぞれ作成され、各フレーム設定情報を含むフレーム設定ファイル１２４ｃが作成され小組設定ファイル１２４に登録される。
【０１０７】
図２０は、上述したフレーム設定ファイル作成処理にて作成されたフレーム設定ファイル１２４ｃの一例である。図２０のフレーム設定ファイル１２３ｃは、３つの商品のフレーム設定情報を含む。
【０１０８】
図２０に示すように、各フレームの各従属フレームに、それぞれ異なる配置位置とサイズの設定を行なうことができる。なお、位置、サイズ設定情報と、位置、サイズ設定の際の基準座標情報と、基準座標間の距離情報は、従属フレーム設定情報の一例である。また、基準フレームに設定されたフレームの、「基準座標間の距離情報」には、当該商品に対応する流し込みフレーム１２１ｂの幅サイズと高さサイズを登録しておいてもよい。
【０１０９】
また、本実施形態では、フレームの点（基準点）を基準位置の一例として説明したが、フレームの辺を基準位置として設定することも可能である。例えば、位置、サイズ設定「移動のみ」の場合、基準フレーム２０の上辺と従属フレーム２１の上辺を基準位置として指定することもできる。この場合、フレーム設定情報として、位置、サイズ設定情報と、基準とした辺と、基準とした辺同士の距離（辺間距離）情報を、従属フレーム設定情報とするフレーム設定情報をフレーム設定ファイル１２４ｃに登録すればよい。
【０１１０】
＜組版処理＞
次に、本実施形態に係るＤＴＰ編集装置１０の制御部１１の組版処理について、図２１を用いて説明する。
【０１１１】
図２１は、ＤＴＰ編集装置１０の制御部１１の組版処理を示すフローチャートである。
【０１１２】
この処理は、上述した各処理にて作成された置換テーブル１２４ｂやフレーム設定ファイル１２４ｃを含む小組設定ファイル１２４など、記憶部１２に記憶された各種ファイルに基づいて自動組版を行なう処理であり、割り付け作業者によって組版処理の実行が指定（入力部１４の操作による）されることにより実行される。
【０１１３】
先ず、制御部１１は、組版情報ファイル１２２を読み込む（ステップＳ１）。例えば、通信部１５を介して図示しない他のデータベースサーバや顧客コンピュータ等から読み込み、記憶部１２に記憶させる。なお、組版処理を開始する前に、組版情報ファイル１２２を取得して記憶部１２に記憶させておいてもよい。また、置換テーブル１２４ｂを作成した際に利用した組版情報ファイル１２２が記憶部１２に記憶されている場合には、ステップＳ１の処理は行なわなくともよい。
【０１１４】
次に、制御部１１は、小組設定ファイル１２４を記憶部１２から取得する（ステップＳ２）。取得された小組設定ファイル１２４はＲＡＭ等に一時記憶される。
【０１１５】
続いて、ステップＳ２にて取得した小組設定ファイル１２４に基づいて、割り付け処理を行なう（ステップＳ３〜ステップＳ１２）。この割り付け処理は、ステップＳ１にて読み込んだ組版情報ファイル１２２に登録されている商品の各関連情報を小組レイアウトの各従属フレーム２１に割り付け、割付された小組レイアウトのデータを、台紙１２１ａの対応する流し込みフレーム１２１ｂに割り付ける（コピーする）処理である。
【０１１６】
割り付け処理は、組版情報ファイル１２２に登録された商品を、順に割り付け対象の商品として選択し、割り付け対象の商品の各関連情報を割り付け、登録された全ての商品の関連情報の割り付けが終了したときに当該割り付け処理（ステップＳ３〜ステップＳ１２）が終了する。
【０１１７】
先ず、制御部１１は、組版情報ファイル１２２に登録された商品のうち、割り付け対象の商品のフレーム設定情報が、フレーム設定ファイル１２４ｃに登録されているか否かを判定する（ステップＳ４）。
【０１１８】
判定の結果、割り付け対象とされた商品についてのフレーム設定情報が、フレーム設定ファイル１２４ｃに登録されている場合（ステップＳ４：Ｙｅｓ）には、制御部１１は、小組レイアウト調整手段として機能し、初期設定状態の小組レイアウトに対して、フレーム設定ファイル１２４ｃに登録されたフレーム設定情報に従って、ステップＳ５〜ステップＳ７の「フレーム調整」を行なう。
【０１１９】
先ず、制御部１１が、基準フレーム設定情報に従い基準フレーム２０のサイズを、割り付け対象の商品に対応する流し込みフレーム１２１ｂ（図２参照）のサイズに対応するように、言い換えれば、同サイズとなるように調整する（ステップＳ５）。次いで、制御部１１が、従属フレーム２１ａ〜２１ｄの配置位置とサイズを、フレーム設定ファイル１２４ｃの従属フレーム設定情報（フレーム設定情報の位置、サイズ設定情報、基準座標情報、基準座標間の距離情報）に従って調整する（ステップＳ６、Ｓ７）。
【０１２０】
他方、ステップＳ４の判定の結果、割り付け対象とされた商品についてのフレーム設定情報が、フレーム設定ファイル１２４ｃに登録されていない場合（ステップＳ４：Ｎｏ）には、小組レイアウトの初期設定状態のまま、ステップＳ８にて割り付けが行われる。
【０１２１】
そして、制御部１１は、割り付け手段として機能し、割り付け対象の商品の各関連情報を、調整後の（又は初期設定状態の）小組レイアウトの従属フレーム２１ａ〜２１ｄに割り付ける（ステップＳ８）。
【０１２２】
次に、制御部１１は、判定手段として機能し、置換テーブル１２４ｂに、割り付け対象の商品に対応する置換レコードが登録されているか否かを判定する（ステップＳ９）。具体的には、割り付け対象の商品のフィールド及び値（関連情報）が指定された置換レコードが登録されているか否かを判定する。
【０１２３】
判定の結果、置換テーブル１２４ｂに、割り付け対象の商品に対応する置換レコードが登録されている場合（ステップＳ９：Ｙｅｓ）には、制御部１１は、表示スタイル適用手段として機能し、当該登録されている置換レコードの表示スタイルに従って、割り付け対象の商品の関連情報が割付された小組レイアウトのデータを、対応する流し込みフレーム１２１ｂに割り付ける（コピー）（ステップＳ１０）。
【０１２４】
一方、置換テーブル１２４ｂに、割り付け対象の商品に対応する置換レコードが登録されていない場合（ステップＳ９：Ｎｏ）には、制御部１１は、割り付け対象の商品の関連情報が割付された小組レイアウトのデータを、対応する流し込みフレーム１２１ｂに割り付ける（コピー）（ステップＳ１１）なお、表示スタイルは初期設定状態のままとする。
【０１２５】
そして、ステップＳ１２にて、組版情報ファイル１２２に登録された全ての商品について割り付けが終了したと判定されたときに処理を終了する。
【０１２６】
そして、制御部１１は、ステップＳ４〜ステップＳ１２における割り付け後のデータを、組版されたページデータ１２５として記憶部１２に記憶させて、組版処理を終了する。
【０１２７】
図２２に組版されたページデータ１２５の一例を示す。
【０１２８】
同図に示すように、各商品の関連情報が、台紙１２１ａ上の各流し込みフレーム１２１ｂに割り付けられている。
【０１２９】
以上説明したように、本実施形態では、小組設定ファイル１２４のフレーム設定ファイル１２４ｃに従い調整された小組レイアウトに対して、商品の各関連情報を割り付け、割り付け後の小組レイアウトのデータを台紙１２１ａの流し込みフレーム１２１ｂに割り付けるよう構成し、更に、小組レイアウトのデータを台紙１２１ａの流し込みフレーム１２１ｂに割り付ける際には、置換テーブル１２４ｂに対応する置換レコードがあれば、当該置換レコードにて指定されている表示スタイルを適用するよう構成した。このような構成により、商品毎に表示スタイルを変更したい場合、さらには、流し込みフレームの１２１ｂの形状が異なる場合や、従属フレーム２１のサイズや配置を変更したい場合など小組を構成するフレームレイアウトを変更したい場合であっても、１つの小組（初期設定状態の小組）を用いて複数の商品について組版処理を行なうことができ、作業の省力化を実現できる。
【０１３０】
なお、本実施形態は記憶部１２に１つの小組を記憶させ、当該小組のレイアウトを調整するよう構成したが、記憶部１２に複数の小組が用意されている場合にも本発明を適用することができる。
【０１３１】
記憶部１２に、それぞれ異なる小組情報（各従属フレーム２１と関連情報のフィールドの対応付け）にかかる小組Ａと小組Ｂが記憶されている場合について説明する。
【０１３２】
図２３は、小組Ａと小組Ｂを示す図である。
【０１３３】
小組Ａ（の小組情報）は、従属フレーム２１ａはフィールド「商品名」に対応し、従属フレーム２１ｂはフィールド「型番」に対応し、従属フレーム２１ｃはフィールド「画像データ情報」に対応し、従属フレーム２１ｄはフィールド「価格」にそれぞれ対応づけられている。
【０１３４】
小組Ｂ（の小組情報）は、従属フレーム２１ａはフィールド「商品名」に対応し、従属フレーム２１ｂはフィールド「価格」に対応し、従属フレーム２１ｃはフィールド「型番」に対応し、従属フレーム２１ｄはフィールド「画像データ情報」にそれぞれ対応づけられている。
【０１３５】
そして、小組設定ファイル１２４に、小組Ａ、小組Ｂそれぞれのフレーム設定ファイル１２４ｃを登録しておく。
【０１３６】
また、記憶部１２に共通設定ファイルを記憶させ、当該共通設定ファイル内に表示スタイルファイル１２４ａと、置換テーブル１２４ｂとを登録させる。なお、組版情報ファイル１２２に登録されているフィールド名の情報を共通設定ファイルに予め保存しておき、置換テーブル１２４ｂを作成する際には、当該共通設定ファイル内に保存されているフィールド名の情報から、参照フィールドを指定することができるよう構成すればよい。
【０１３７】
そして、小組Ａを使用した組版処理の場合、組版処理のフレーム調整では、小組設定ファイル１２４の小組Ａのフレーム設定ファイル１２４ｃに基づいて行ない、表示スタイル調整では、共通設定ファイル内の表示スタイルファイル１２４ａと、置換テーブル１２４ｂに基づいて行なう。小組Ｂを使用した組版処理の場合、組版処理のフレーム調整では、小組設定ファイル１２４の小組Ｂのフレーム設定ファイル１２４ｃに基づいて行ない、表示スタイル調整では、共通設定ファイル内の表示スタイルファイル１２４ａと、置換テーブル１２４ｂに基づいて行なう。
【０１３８】
このような構成により、複数の小組が用意されており、これら複数の小組に基づいて組版処理が行なわれる場合であっても、表示スタイルファイル１２４ａと、置換テーブル１２４ｂを複数の小組で共用することで、各小組に対して容易に同一の表示スタイルを適用することができる。
【符号の説明】
【０１３９】
１０  ＤＴＰ編集装置
１１  制御部
１２  記憶部
１２１  レイアウト紙面ファイル
１２１ａ  台紙
１２１ｂ  流し込みフレーム
１２２  組版情報ファイル
１２３  画像データファイル
１２４  小組設定ファイル
１２４ａ  表示スタイルファイル
１２４ｂ  置換テーブル
１２４ｃ  フレーム設定ファイル
１２５  組版されたページデータ
１３  表示部
１４  入力部
１５  通信部
２０  基準フレーム
２１（２１ａ、２１ｂ、２１ｃ、２１ｄ）  従属フレーム
【図１】
2010257421.tif 000003
【図２】
2010257421.tif 000004
【図３】
2010257421.tif 000005
【図４】
2010257421.tif 000006
【図５】
2010257421.tif 000007
【図６】
2010257421.tif 000008
【図７】
2010257421.tif 000009
【図８】
2010257421.tif 000010
【図９】
2010257421.tif 000011
【図１０】
2010257421.tif 000012
【図１１】
2010257421.tif 000013
【図１２】
2010257421.tif 000014
【図１３】
2010257421.tif 000015
【図１４】
2010257421.tif 000016
【図１５】
2010257421.tif 000017
【図１６】
2010257421.tif 000018
【図１７】
2010257421.tif 000019
【図１８】
2010257421.tif 000020
【図１９】
2010257421.tif 000021
【図２０】
2010257421.tif 000022
【図２１】
2010257421.tif 000023
【図２２】
2010257421.tif 000024
【図２３】
2010257421.tif 000025